(57)【要約】【課題】カットの際に指を保護して安全に使用できる理美容用鋏等を提供する。【解決手段】理美容用鋏は、静刃体１と動刃体２とが回転軸で軸支され、互いの刃先の交点で髪を切るように静刃体１と動刃体２とが回転自在に連結された理美容用鋏であって、静刃体１の刃裏面と対向して、この間に空間を形成するよう離間して静刃体１に装着されるカバー部４を備えており、動刃体２を作動させると空間に動刃体２が挿入されるように構成されている。この構成によって、静刃体とカバー部との間の空間に動刃体が収納されるように理美容用鋏が使用されるため、動刃体がカット位置、すなわち静刃体の刃裏面に接近する位置がカバー部で覆われることとなり、動刃体の刃面から使用者の指を保護でき、安全に使用できる。【選択図】図４
2005087723.tif 000002
【特許請求の範囲】
【請求項１】
静刃体(1)と動刃体(2)とが回転軸で軸支され、互いの刃先の交点で髪を切るように静刃体(1)と動刃体(2)とが回転自在に連結された理美容用鋏であって、
前記静刃体(1)の刃裏面と対向して、この間に空間(S)を形成するよう離間して前記静刃体(1)に装着されるカバー部(4)を備えており、
前記動刃体(2)を作動させると前記空間(S)に動刃体(2)が挿入されるように構成されてなることを特徴とする理美容用鋏。
【請求項２】
請求項１に記載の理美容用鋏であって、前記カバー部(4)が前記静刃体(1)と脱着可能に装着されてなることを特徴とする理美容用鋏。
【請求項３】
請求項２に記載の理美容用鋏であって、前記カバー部(4)に装飾が付されていることを特徴とする理美容用鋏。
【請求項４】
静刃体(1)と動刃体(2)とが回転軸で軸支され、互いの刃先の交点で髪を切るように静刃体(1)と動刃体(2)とが回転自在に連結された理美容用鋏に装着可能な理美容用鋏用カバーであって、
前記静刃体(1)の刃裏面と対向して、この間に空間(S)を形成するよう離間して前記静刃体(1)に装着された状態で、前記動刃体(2)を作動させると前記空間(S)に動刃体(2)が挿入されるように構成されてなることを特徴とする理美容用鋏用カバー。
【発明の詳細な説明】
【技術分野】
【０００１】
本発明は、調髪や理美容に使用される理美容用鋏およびこの鋏に装着するカバーに関する。
【背景技術】
【０００２】
理美容用鋏は、一般に静刃体と動刃体とを回転軸で軸支しており、互いの刃先の交点で髪を切るよう構成されている。理美容用のカット鋏としては、例えぱ特許文献１に記載の技術が開発されている。理美容用鋏の基本的な使い方は、静刃体と動刃体の両方を動かさず、静刃体を水平に保ちながら、動刃体のみを動かすようにしてカットする。理美容用鋏にて頭髪をカットする例を、図７〜図９に基づいて説明する。この例では、図７に示すように右手で理美容用鋏を保持し、左手の人指し指と中指で毛髪９を挟んでおり、手の内側でカットする場合は左手中指の上に理美容用鋏をおいてカットを行う。図８に示すように、静刃体１は中指の背に沿うように配置され、静刃体１を水平に静止させたまま図９に示すように静刃体１の下で動刃体２のみを開閉させて、髪をカットする。
【０００３】
このとき、動刃体２は高速に何度も開閉動作されるため、その反動で理美容用鋏を持つ右手が不安定となり、理美容用鋏がぶれたり傾いたりして鋏が下がると、動刃体２が人差し指に触れて傷付けることがあった。特に、図９の側面図に示すように静刃体１と人差し指の間に動刃体２が位置しており、開閉動作する動刃体２に人差し指が晒されるような配置で間に指を保護する部材がない。また業務用の理美容用鋏は家庭用鋏等と比べて刃先が鋭利であるため、誤って触れると怪我をし易い。一方で、特許文献２に示すような指を傷付けない鋏も開発されているが、この鋏は刃縁を鋭利に形成しなくても切断作用をなす安全鋏に関するものであるため、理美容等の業務用途としては利用できない。このため、指を傷付ける事故を防止し安全にカット作業のできる理美容用鋏が切望されていた。
【０００４】
また一方で、理美容用鋏は鋭利さを保つため定期的に研磨を行う必要がある。このため、鋏自体を塗装したり模様を付すと研磨の際に削ぎ落とされてしまうため、従来は装飾類のない画一的な色調のものしか存在せず、おしゃれ感に欠けるものが多かった。
【特許文献１】特開平９−１４０９５２号公報
【特許文献２】特開２００３−２６５８７４号公報
【発明の開示】
【発明が解決しようとする課題】
【０００５】
本発明は、従来のこのような問題点に鑑みてなされたものである。本発明の主な目的は、カットの際に指を保護して安全に使用できる理美容用鋏および理美容用鋏用カバーを提供することにある。また本発明の他の目的は、装飾を付すことが可能な理美容用鋏および理美容用鋏用カバーを提供することにある。
【課題を解決するための手段】
【０００６】
上記の目的を達成するために、本発明の理美容用鋏は、静刃体１と動刃体２とが回転軸で軸支され、互いの刃先の交点で髪を切るように静刃体１と動刃体２とが回転自在に連結された理美容用鋏であって、静刃体１の刃裏面と対向して、この間に空間Ｓを形成するよう離間して静刃体１に装着されるカバー部４を備えており、動刃体２を作動させると空間Ｓに動刃体２が挿入されるように構成されている。この構成によって、静刃体とカバー部との間の空間Ｓに動刃体が収納されるように理美容用鋏が使用されるため、動刃体がカット位置、すなわち静刃体の刃裏面に接近する位置がカバー部で覆われることとなり、動刃体の刃面から使用者の指を保護でき、安全に使用できる。
【０００７】
また本発明の他の理美容用鋏は、カバー部４が静刃体１と脱着可能に装着されている。この構成によって、非使用時にはカバー部を理美容用鋏から分離できるので、鋏の研磨等の際に邪魔にならず便利に使用できる。
【０００８】
さらに本発明の他の理美容用鋏は、カバー部４に装飾が付されている。この構成によって、これまで研磨等の必要性から模様等の装飾ができなかった理美容用鋏であっても、脱着可能なカバー部に装飾を施すことで意匠的に優れた理美容用鋏とすることができる。またカバー部を交換することで、様々な模様等の意匠パターンに容易に変更することもできる。
【０００９】
さらにまた本発明の理美容用鋏用カバーは、静刃体１と動刃体２とが回転軸で軸支され、互いの刃先の交点で髪を切るように静刃体１と動刃体２とが回転自在に連結された理美容用鋏に装着可能な理美容用鋏用カバーであって、静刃体１の刃裏面と対向して、この間に空間Ｓを形成するよう離間して静刃体１に装着された状態で、動刃体２を作動させると空間Ｓに動刃体２が挿入されるように構成されている。この構成によって、静刃体とカバー部との間の空間Ｓに動刃体が収納されるように理美容用鋏が使用されるため、動刃体がカット位置、すなわち静刃体の刃裏面に接近する位置がカバー部で覆われることとなり、動刃体の刃面から使用者の指を保護でき、安全に使用できる。これによって、これまで恐怖心から動刃体を大きく動作できなかった理美容師であっても、カバーを設けることで心理的な安心感を与え、自信を持って操作できるようになり、品質の向上にも寄与し、さらに理美容サービスを受ける利用者においても鋏による事故をより確実に防止して安全性を高めることができる。
【発明の効果】
【００１０】
本発明の理美容用鋏及び理美容用鋏用カバーは、刃面にカバーを設けるという極めて簡単な構成より指を傷付ける事故が効果的に防止され、ヘアカット作業等における安全性が向上される。これによって、初心者であっても安全にヘアカットを行うことができ、また心理的な恐怖心も取り除かれよりスムーズなカット作業が期待できる。さらに、カバーに模様を付すことで装飾的効果も高まり、画一的なデザインの理美容用鋏からよりファッショナブルな洗練された道具として審美性を高める効果も期待できる。
【発明を実施するための最良の形態】
【００１１】
以下、本発明の実施の形態を図面に基づいて説明する。ただし、以下に示す実施の形態は、本発明の技術思想を具体化するための理美容用鋏及び理美容用鋏用カバーを例示するものであって、本発明は理美容用鋏及び理美容用鋏用カバーを以下のものに特定しない。また、本明細書は特許請求の範囲に示される部材を、実施の形態の部材に特定するものでは決してない。特に実施の形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
【００１２】
本発明の一実施の形態に係る理美容用鋏の斜視図を図１に、分解斜視図を図２にそれぞれ示す。これらに図に示す理美容用鋏は、通常の鋏と同様の静刃体１と動刃体２と備えていると共に、カバー部４を備えている。静刃体１と動刃体２は、回転軸で軸支されると共に、互いの刃先の交点で髪を切るように連結されている。静刃体１は、一端に刃面を形成すると共に、他端の端部に指孔部３を設けている。一般には、指孔部３に右手の薬指を挿入し、静刃体１を使用時に基本的に静止させるように保持する。一方、動刃体２も同様に一端に刃面を形成すると共に、他端の端部に指孔部１２を設けている。一般には指孔部１２に右手の親指を挿入し、毛髪９をカットする際にはこの親指のみを動かして動刃体２を回動させ、毛髪９を切る。これら静刃体１、動刃体２の形状、材質、寸法等は、既存の理美容用鋏あるいは将来開発される理美容用鋏が適宜利用できる。
【００１３】
なお、本明細書において静刃体、動刃体とは、理美容用鋏の２枚の刃を区別するために便宜上、一般の使用法では静止させるべきとされる刃を静刃体、作動させるべきとされる刃を動刃体と呼んでいる。ただ、これらの名称はあくまでも２枚の刃を区別するための称呼に過ぎず、必ずしも静刃体を常時停止させていること、あるいは動刃体を常に作動させていることを要しない。例えば、上記の例において美容師やスタイリストが独自のスタイルで、あるいは熟練していないが故に静刃体をも動作させるようなカット方法を行うことがあるとしても、上記構成の理美容用鋏を使用する以上は本発明の権利範囲として企図する。また本明細書では右利き用の理美容用鋏について説明したが、左利き用の理美容用鋏についても左右の手を逆にしてほぼ同様に適用可能であることはいうまでもない。
（カバー部４）
【００１４】
上記の静刃体１を静止させ、動刃体２を回転軸を中心に回動させて刃先の交点で髪を切る際に、図７に示すように頭髪を挟んだ左手の指に動刃体２の刃先が接触して指を切るおそれがあった。そこで防止対策として本実施の形態では、静刃体１の裏側に刃面と対向するようにカバー部４を装着している。図１に示すようにカバー部４は、静刃体１との間で空間Ｓが形成されるように装着され、この空間Ｓに動刃体２が挿入されるように構成される。このためカバー部４は、動刃体２がカバー部４と接触することなく空間Ｓ内に挿入できるように、動刃体２の厚みよりも若干大きい幅の空間Ｓが静刃体１との間に形成されるよう、静刃体１に固定される。静刃体１にカバー部４を固定するために、カバー部４は図２に示すようにネジボルト６と係止部５を設けている。ネジボルト６は、静刃体１と動刃体２を回動自在に連結する回転軸を構成する。図２に示すようにカバー部４の一面に固定されたネジボルト６を動刃体２および静刃体１の回転軸穴に挿入し、上面でネジナット７に挿入してネジ止めしている。したがって、ネジボルト６はカバー部４装着時に動刃体２および静刃体１の回転軸穴と一致する位置に予め位置決めして固定される。このように、カバー部４に固着されたネジボルト６を動刃体２と静刃体１のネジ孔１３に挿入し、ネジナット７にてこれらの各部材を締着することでカバー部４を理美容用鋏に装着する構造は、カバー部４を理美容用鋏に装着するための構造を新たに別途設けることなく、既存の動刃体２と静刃体１の連結用部材を利用してカバー部４も装着できるため、極めて安価かつ簡単に実現できる利点が得られる。特に、専用の理美容用鋏を新たに用意することなく、既存の理美容用鋏にカバー部４を装着して安全機能を付加できるという汎用性に優れた利点が得られる。特にネジボルト６をカバー部４に固着させる方式は、部品点数を少なくして組み立ての作業性がよく、またネジボルト６とカバー部４の間でがたつきがなく安定性にも優れる。さらにまたネジボルト６の回転軸がカバー板の表面側に露出しないので、カバー板表面を意匠板として装飾を施す際に好適である。ただ、カバー部にネジボルトを固着しないで、別部材のネジボルトを差し込む方式でこれらを連結することも可能である。
【００１５】
なおカバー部４の大きさは、装着時に動刃体２よりも若干長めに突出するように設計される。これにより、動刃体２の先端を含めた刃面全体をカバー部４で保護でき、刃面が突出して指を怪我する事故を確実に阻止できる。ただ、カバー部４の幅方向の大きさは、静刃体１とほぼ等しくすることが好ましい。特に動刃体２と静刃体１の刃先の交点がカバー部４の側面に接触して位置ずれしないよう、静刃体の刃面側とカバー部４とを一致させる。また動刃体２と静刃体１を一致させた状態では、刃面が重なりエッジ部分が表出しないので、一般には安全である。したがって、カバー部４の横方向のマージンは考慮しなくともよい。また、カバー部４の端縁にはカット面を設けていないので、カバー部４に指が触れても傷付くことはない。カバー部４は、好ましくはステンレスや鉄、チタン等の金属製とする。金属製とすることで十分な強度及び耐久性を備え、使用時に変形することなく指を確実に保護できる。また合成樹脂製やプラスチック製とすることで、安価かつ軽量なカバー部を製造することが可能となる。
【００１６】
また、カバー部４の他の一端、すなわち指孔部に面する側には、係止部５が設けられている。図２に示す係止部５は、断面コ字状に両端を折曲して略並行に突出させ、静刃体１の指孔部３の根本付近を狭着するよう構成される。係止部５はカバー部４に一体成形で設けられた金属製とすることが好ましい。係止部５は突出する２枚の突出板が弾性的に静刃体１の根本付近を狭着することで、カバー部４を静刃体１に狭持させる。このようにカバー部４と静刃体１の連結構造を、回転軸のみならず別の部位との連結部を備えることで、カバー部４が動刃体２と共に回動する事態を確実に阻止できる。また静刃体１側に、係止部５と対応する位置に、係止部５を係合するための係合部１０を形成することで、これらを容易に係合することができる。係合部１０は、例えば係止部を挿入する段差を設けた段差部とする。ただ、既存の理美容用鋏にカバー部を装着可能とするように、係合部を段差部のような特別な形状としない一般の理美容用鋏にも装着可能な係止部とすることで、より汎用性高くカバー部を利用できる。
【００１７】
なお、カバー部を理美容用鋏に脱着自在に装着する手段は、上記のようなネジボルトと係止部を使用する構成に限られず、例えばカギ状フックをカバー部に形成して静刃体に係止する等、カバー部と静刃体に嵌合構造を設ける方法や、両面テープ等で貼付する方法等も適宜採用できる。また、カバー部を脱着自在にする構造に限られず、カバー部を理美容用鋏に固定する構成としてもよい。
【００１８】
このカバー部は、理美容用鋏に脱着可能であるため、交換することもできる。カバー部の変形例を表面側から見た斜視図を図３（ａ）、（ｂ）に示す。これらの図に示すカバー部４Ａ、４Ｂは、表面に様々な模様等の装飾を付すことができる。図３（ａ）に示すカバー部４Ａは、水玉模様を描いた意匠板を表面に固定している。また図３（ｂ）に示すカバー部４Ｂは、表面に直接文字を描いている。このように、カバー部の表面に絵やパターン、文字あるいはレリーフ等の装飾を付すことができ、意匠的に面白いデザインを付加して理美容用鋏を洗練することができる。
【００１９】
一般に理美容用鋏が使用される理髪店や美容店等は、ファッションセンスが求められる場であり、おしゃれや流行に敏感な利用者も多く、このような場で活躍する理美容師も個性が求められるところである。しかしながら、従来理美容用鋏は刃面の鋭利な切れ味を維持するため定期的に研磨を行う必要があり、このため鋏の表面に着色や装飾を施したとしても研磨によって削ぎ落とされることとなり、結果的に画一的なデザインとならざるを得なかった。これに対して、本実施の形態に係る理美容用鋏では、カバー部４を脱着可能であるため、研磨等手入れの際にはカバー部４を外して作業することができる。このため、鋏の使用時には様々なデザインを施したカバー板を装着することで、これまで不可能であった理美容用鋏の装飾も可能となり、より洗練された道具としての理美容用鋏を利用することができる。さらにカバー板は交換することもできるので、理美容用鋏としての機能及び安全性を維持したまま、カット内容や利用者の嗜好、理美容師の個性等に応じたカバー部４に交換して、外観のイメージを容易に変更できる。このように、従来不可能であった理美容用鋏の装飾も、本発明によって可能とでき、付加価値を高めることができる。
【００２０】
次に、本実施の形態に係る理美容用鋏を使用して毛髪のカットを行う様子を、図４〜図６に基づいて説明する。これらの図において、図４は理美容用鋏で二本の指に挟まれた毛髪をカットする状態を示す斜視図、図５は図４の理美容用鋏を側面から見た図、図６は図５の理美容用鋏をＶＩ−ＶＩ線から見た縦断面図を、それぞれ示している。これらの図に示す理美容用鋏で毛髪をカットする際、使用者の指の置き方等は、基本的に図７の説明と同様である。図７の構成では、静刃体１を左手人差し指の上方に保持したまま動刃体２を回動させると、動刃体２の刃面に対して晒される指が傷付けられるおそれがあった。これに対して本実施の形態では、図５の側面図に示すように静刃体１の下面にカバー部４を設け、カバー部４と静刃体１との間に形成される空間Ｓに動刃体２が挿入される構成としている。この構成では、指が動刃体２の刃面に対して直接晒されるのでなく、カバー部４を介在させることになる。すなわち、人差し指の上方にカバー部４を乗せるように理美容用鋏を保持できるので、動刃体２と指の間にカバー部４が介在して、このカバー部４によって指が保護される。
【００２１】
したがって、図４に示すように動刃体２を水平面内で開閉させても、指の上のカバー部４で指が保護される。また鋏の位置が下がってきてもカバー部４が指と接触するだけで、カバー部４には刃面を設けていないので怪我をすることもなく、動刃体２はカバー部４の上面で静刃体１との間でスムーズに可動して毛髪等をカットする。この様子をさらに図６の縦断面図に基づいて説明すると、中指であるＡ指１１と人差し指であるＢ指８にて毛髪９を挟んだ状態で、理美容用鋏のカバー部４をＢ指８の上に置き、動刃体２を可動させて毛髪９を切断する。この方式によれば、鋏と指と間にカバー部４が配置されて鋏の刃面と離間されるため、指を損傷する恐れを解消し、カット作業を安全化し能率を向上させる。すなわち、従来であれば静刃体１と人差し指（Ｂ指）８とが接触するか非常に近接した形で使用されていたため、特に理美容用鋏の扱いに不慣れな初心者は、自分の指を傷付けないようおそるおそる動刃体２を可動させていた。これに対して本実施の形態では、カバー部４で指が動刃体２の刃面から保護されることで、そのような恐怖感を低減して、より大きなストロークで切断できるようになる。また、指を怪我するかもしれないといった恐怖心や鋏の角度等に注意しなければならないといった余計な雑念に惑わされることなく調髪作業に専念できるので、技術の向上にも繋がる。
【００２２】
このように本実施の形態によれば、カバー部を設けることで怪我を防止し、また使用者に心理的な安心感を与えてより動刃体を広く開閉可能とし、鋏を最大限に利用して使い易い理美容用鋏を実現できる。このカバー部は極めて簡単な構成であり安価に大量生産ができ、また装着も容易でありその効果は絶大である。さらにカバー部は既存の理美容用鋏に付加できるので、既存の理美容用鋏に安全機能を付加して有効利用できる利点も得られる。さらにまた、理美容用鋏の研磨時にはカバーを脱離できるため、カバーに塗装や模様を付すことが可能となり、これまで画一的でデザイン的なバリエーションの乏しかった理美容用鋏をよりファッショナブルに装飾することができ、意匠的な面白さも享受できるようになる。
【産業上の利用可能性】
【００２３】
本発明の理美容用鋏及び理美容用鋏用カバーは、総て同一に切り揃える鋏、切り揃えないカットを行う所謂カット鋏、毛髪を間引くように切断する梳き鋏等に好適に適用できる。
【図面の簡単な説明】
【００２４】
【図１】本発明の一実施の形態に係る理美容用鋏を示す斜視図である。
【図２】図１の理美容用鋏を示す分解斜視図である。
【図３】カバー部を表面側から見た状態を示す斜視図である。
【図４】本発明の一実施の形態に係る理美容用鋏で毛髪をカットする様子を示す斜視図である。
【図５】図４の理美容用鋏を側面から見た図である。
【図６】図５の理美容用鋏をＶＩ−ＶＩ線から見た縦断面図である。
【図７】従来の理美容用鋏で毛髪をカットする様子を示す斜視図である。
【図８】図７の理美容用鋏を上部から見た平面図である。
【図９】図７の理美容用鋏を側面から見た図である。
【符号の説明】
【００２５】
１…静刃体
２…動刃体
３…指孔部
４、４Ａ、４Ｂ…カバー部
５…係止部
６…ネジボルト
７…ネジナット
８…Ｂ指
９…毛髪
１０…係合部
１１…Ａ指
１２…指孔部
１３…ネジ孔
Ｓ…空間
【図１】
2005087723.tif 000003
【図２】
2005087723.tif 000004
【図３】
2005087723.tif 000005
【図４】
2005087723.tif 000006
【図５】
2005087723.tif 000007
【図６】
2005087723.tif 000008
【図７】
2005087723.tif 000009
【図８】
2005087723.tif 000010
【図９】
2005087723.tif 000011